(57)【特許請求の範囲】
【請求項１】
光の透過を制御する複数の画素をマトリックス状に配列した画面領域を有する液晶表示素子に、その観察側とは反対側から、前記液晶表示素子の法線方向に対して一方の方向に傾いた方向に出射光強度のピークをもった指向性を有する第１の照明光と前記法線に対して前記一方の方向とは反対方向に傾いた方向に出射光強度のピークをもった指向性を有する第２の照明光とを選択的に照射する光源を備え、
前記液晶表示素子の複数の画素に供給される複数の画素データからなる画像データのうち、前記画面領域を複数に分割した複数の領域のうちの選択された第１の領域内の各画素に対応する各画素データと、前記第１の領域以外の他の第２の領域内の各画素に対応させて白と黒の間の予め定めた諧調が指定された中間調データとからなる第１の分割画像データを、前記液晶表示素子の複数の画素に印加し、この第１の分割画像データの前記各画素への印加に同期させて前記光源から第１の照明光を照射させ、前記画像データのうち、前記第２の領域内の各画素に対応する各画素データと、前記第１の領域内の各画素に対応させて白と黒の間の予め定めた諧調が指定された前記中間調データとからなる第２の分割画像データを、前記液晶表示素子の複数の画素に印加し、この第２の分割画像データの前記各画素への印加に同期させて前記光源から前記第２の照明光を照射させることを特徴とする液晶表示素子の駆動方法。
【請求項２】
液晶表示素子の複数の画素に供給される複数の画素データからなる画像データのうち、前記液晶表示素子の画面領域を格子状に分割した複数の領域のうちの市松状に選択された第１の領域内の各画素に対応する各画素データと、前記市松状に選択された前記第１の領域以外の他の第２の領域内の各画素に対応させて白と黒の間の予め定めた諧調が指定された中間調データとからなる第１の分割画像データを、前記液晶表示素子の複数の画素に印加し、この第１の分割画像データの前記各画素への印加に同期させて光源から第１の照明光を照射させ、前記画像データのうち、前記第２の領域内の各画素に対応する各画素データと、市松状に選択された前記第１の領域内の各画素に対応させて白と黒の間の予め定めた諧調が指定された前記中間調データとからなる第２の分割画像データを、前記液晶表示素子の複数の画素に印加し、この第２の分割画像データの前記各画素への印加に同期させて前記光源から第２の照明光を照射させることを特徴とする請求項１に記載の液晶表示素子の駆動方法。
【請求項３】
液晶表示素子の複数の画素に供給される画像データを、前記液晶表示素子の画面領域を互いに交差する２つの方向の一方に沿うストライプ状に分割した複数の領域のうちの１つ置きに選択された第１の部分領域内の各画素に白と黒の間の予め定めた諧調値を与え、前記第１の部分領域以外の領域からなる第２の部分領域内の各画素に対応する画素データを通過させる第１の部分フィルタと、前記液晶表示素子の画面領域を前記互いに交差する２つの方向の他方に沿うストライプ状に分割した複数の領域のうちの１つ置きに選択された第３の部分領域内の各画素に白と黒の間の予め定めた諧調値を与え、第３の部分領域以外の領域からなる第４の部分領域内の各画素に対応する画素データを通過させる第２の部分フィルタとからなる第１のデータ処理フィルタを掛けて処理した一方の第１の分割画像データを前記液晶表示素子の複数の画素に印加し、この第１の分割画像データの前記各画素への印加に同期させて光源から第１の照明光を照射させ、前記画像データを、前記第１の部分領域内の各画素に対応する画素データを通過させ、前記第２の部分領域内の各画素に白と黒の間の予め定めた諧調値を与える第３の部分フィルタと、前記第３の部分領域内の各画素に対応する画素データを通過させ、前記第４の部分領域内の各画素に白と黒の間の予め定めた諧調値を与える第４の部分フィルタとからなる第２のデータ処理フィルタを掛けて処理した第２の分割画像データを前記液晶表示素子の複数の画素に印加し、この第２の処理画像データの前記各画素への印加に同期させて前記光源から第２の照明光を照射させることを特徴とする請求項１に記載の液晶表示素子の駆動方法。
【請求項４】
光の透過を制御する複数の画素をマトリックス状に配列した画面領域を有する液晶表示素子と、
前記液晶表示素子の観察側とは反対側に配置され、前記液晶表示素子に向けて、前記液晶表示素子の法線方向に対して一方の方向に傾いた方向に出射光強度のピークをもった指向性を有する第１の照明光と前記法線に対して前記一方の方向とは反対方向に傾いた方向に出射光強度のピークをもった指向性を有する第２の照明光とを選択的に照射する面光源と、
前記液晶表示素子の複数の画素に供給される画像データのうち、前記液晶表示素子の画面領域を分割した複数の領域のうちの選択された第１の領域内の各画素に白と黒の間の予め定めた諧調値を与え、前記第１の領域以外の他の第２の領域に対応する各画素の画素データを通過させる第１のデータ処理フィルタを掛けて処理した第１の分割画像データに応じた書込み信号を前記液晶表示素子の複数の画素に印加し、この書き込み信号の印加に同期させて前記光源から前記第１の照明光を照射させ、前記第２の照明光の照射に同期させて、第１の領域内の各画素に対応する各画素データを通過させ、前記第２の領域に対応する各画素に白と黒の間の予め定めた諧調値を与える第２のデータ処理フィルタを掛けて処理した第２の分割画像データに応じた書込み信号を前記液晶表示素子の複数の画素に印加し、この書き込み信号の印加に同期させて前記光源から前記第２の照明光を照射させる駆動手段とを備えたことを特徴とする液晶表示装置。
【請求項５】
駆動手段は、面光源から第１の照明光と第２の照明光とを同時に照射させ、液晶表示素子の複数の画素に、第１及び第２のデータ処理フィルタを掛けない非処理の画像データに応じた書込み信号を印加する手段を備えていることを特徴とする請求項４に記載の液晶表示装置。
【発明の詳細な説明】
【技術分野】
【０００１】
この発明は、観察者以外の他者により覗き見されるおそれの無いセキュリティ性の高い狭視野角表示を行なうことができる液晶表示素子の駆動方法及び液晶表示装置に関する。
【背景技術】
【０００２】
液晶表示素子は、視野角が広いため、その表示を、正面方向（液晶表示素子の法線付近の方向）に対して傾いた方向から他者により覗き見されるおそれがある。
【０００３】
そのため、前記液晶表示素子の一方の面側に、前記液晶表示素子の画面に対応する領域を複数に区分した各区分領域毎に液晶分子を異なる配向状態に配向させた視野角制限素子を配置し、この視野角制限素子により前記液晶表示素子の視野角を制限する液晶表示装置が提案されている（特許文献１参照）。
【０００４】
前記視野角制限素子は、一対の基板間に封入した液晶層の液晶分子を、前記液晶表示素子の画面に対応する領域を複数に区分した各区分領域毎に、前記液晶表示素子の法線方向に対して一方の方向に傾いた方向に視野角を有する配向状態と、その方向とは反対方向に傾いた方向に視野角を有する配向状態とに配向させ、前記一対の基板の互いに対向する内面それぞれに、前記各区分領域に対応させて、予め定めた形状の電極を設けた構成となっている。
【０００５】
この液晶表示装置は、前記視野角制限素子の電極間への電圧の印加により、斜め方向からの視認性を低下させて前記液晶表示素子の表示画像の視野角を制限するものであり、前記視野角制限素子の電極間に電圧を印加しないとき、つまり前記視野角制限素子が無表示状態のときは、前記液晶表示素子の表示画像が広い視野角で見える。
【０００６】
それに対し、前記視野角制限素子の電極間に電圧を印加すると、前記正面方向に対して一方の方向に傾いた方向及びその反対方向に傾いた方向から見たときに、前記液晶表示素子の表示画像が、前記視野角制限素子の一方の方向に傾いた方向に視野角を有する各区分領域の表示及び反対方向に傾いた方向に視野角を有する各区分領域の前記予め定めた形状の電極に対応する表示により隠されるため、前記一方の方向及び反対方向に傾いた方向からは前記液晶表示素子の表示画像を認識することができなくなり、前記表示画像の視野角が見かけ上制限され、前記表示画像の視野角が狭くなる。
【特許文献１】特開２０００―１３３３３４号公報
【発明の開示】
【発明が解決しようとする課題】
【０００７】
しかし、上記従来の液晶表示装置は、前記視野角制限素子の液晶層の液晶分子を、前記各区分領域毎に異なる配向状態に配向させるために、前記視野角制限素子の一対の基板の内面に、前記各区分領域毎に方向を異ならせた複雑な配向処理（配向膜のラビング処理）を施さなければならず、そのために、前記視野角制限素子の製造が難しく、コスト高になるという問題をもっている。
【０００８】
この発明は、他者により覗き見されるおそれの無いセキュリティ性の高い狭視野角表示を行なうことができ、しかもコストを低減することができる液晶表示素子の駆動方法及び液晶表示装置を提供することを目的としたものである。
【課題を解決するための手段】
【０００９】
この発明の液晶表示素子の駆動方法は、光の透過を制御する複数の画素をマトリックス状に配列した画面領域を有する液晶表示素子に、その観察側とは反対側から、前記液晶表示素子の法線方向に対して一方の方向に傾いた方向に出射光強度のピークをもった指向性を有する第１の照明光と前記法線に対して前記一方の方向とは反対方向に傾いた方向に出射光強度のピークをもった指向性を有する第２の照明光とを選択的に照射する光源を備え、前記液晶表示素子の複数の画素に供給される複数の画素データからなる画像データのうち、前記画面領域を複数に分割した複数の領域のうちの選択された第１の領域内の各画素に対応する各画素データと、前記第１の領域以外の他の第２の領域内の各画素に対応させて白と黒の間の予め定めた諧調が指定された中間調データとからなる第１の分割画像データを、前記液晶表示素子の複数の画素に印加し、この第１の分割画像データの前記各画素への印加に同期させて前記光源から前記第１の照明光を照射させ、前記画像データのうち、前記第２の領域内の各画素に対応する各画素データと、前記第１の領域内の各画素に対応させて白と黒の間の予め定めた諧調が指定された前記中間調データとからなる第２の分割画像データを、前記液晶表示素子の複数の画素に印加し、この第２の分割画像データの前記各画素への印加に同期させて前記光源から前記第２の照明光を照射させることを特徴とする。
【００１０】
この駆動方法においては、前記液晶表示素子の複数の画素に供給される複数の画素データからなる画像データのうち、前記液晶表示素子の画面領域を格子状に分割した複数の領域のうちの市松状に選択された第１の領域内の各画素に対応する各画素データと、前記市松状に選択された前記第１の領域以外の他の第２の領域内の各画素に対応させて白と黒の間の予め定めた諧調が指定された中間調データとからなる第１の分割画像データを、前記液晶表示素子の複数の画素に印加し、この第１の分割画像データの前記各画素への印加に同期させて前記光源から前記第１の照明光を照射させ、前記画像データのうち、前記第２の領域内の各画素に対応する各画素データと、市松状に選択された前記第１の領域内の各画素に対応させて白と黒の間の予め定めた諧調が指定された前記中間調データとからなる第２の分割画像データを、前記液晶表示素子の複数の画素に印加し、この第２の分割画像データの前記各画素への印加に同期させて前記光源から前記第２の照明光を照射させるのが好ましい。
【００１１】
また、この駆動方法においては、前記液晶表示素子の複数の画素に供給される画像データを、前記液晶表示素子の画面領域を互いに交差する２つの方向の一方に沿うストライプ状に分割した複数の領域のうちの１つ置きに選択された第１の部分領域内の各画素に白と黒の間の予め定めた諧調値を与え、前記第１の部分領域以外の領域からなる第２の部分領域内の各画素に対応する画素データを通過させる第１の部分フィルタと、前記液晶表示素子の画面領域を前記互いに交差する２つの方向の他方に沿うストライプ状に分割した複数の領域のうちの１つ置きに選択された第３の部分領域内の各画素に白と黒の間の予め定めた諧調値を与え、第３の部分領域以外の領域からなる第４の部分領域内の各画素に対応する画素データを通過させる第２の部分フィルタとからなる第１のデータ処理フィルタを掛けて処理した一方の第１の分割画像データを前記液晶表示素子の複数の画素に印加し、この第１の分割画像データの前記各画素への印加に同期させて前記光源から前記第１の照明光を照射させ、前記画像データを、前記第１の部分領域内の各画素に対応する画素データを通過させ、前記第２の部分領域内の各画素に白と黒の間の予め定めた諧調値を与える第３の部分フィルタと、前記第３の部分領域内の各画素に対応する画素データを通過させ、前記第４の部分領域内の各画素に白と黒の間の予め定めた諧調値を与える第４の部分フィルタとからなる第２のデータ処理フィルタを掛けて処理した第２の分割画像データを前記液晶表示素子の複数の画素に印加し、この第２の分割画像データの前記各画素への印加に同期させて前記光源から前記第２の照明光を照射させるのが好ましい。
【００１２】
この発明の液晶表示装置は、
光の透過を制御する複数の画素をマトリックス状に配列した画面領域を有する液晶表示素子と、
前記液晶表示素子の観察側とは反対側に配置され、前記液晶表示素子に向けて、前記液晶表示素子の法線方向に対して一方の方向に傾いた方向に出射光強度のピークをもった指向性を有する第１の照明光と前記法線に対して前記一方の方向とは反対方向に傾いた方向に出射光強度のピークをもった指向性を有する第２の照明光とを選択的に照射する面光源と、
前記液晶表示素子の複数の画素に供給される画像データのうち、前記液晶表示素子の画面領域を分割した複数の領域のうちの選択された第１の領域内の各画素に白と黒の間の予め定めた諧調値を与え、前記第１の領域以外の他の第２の領域に対応する各画素の画素データを通過させる第１のデータ処理フィルタを掛けて処理した第１の分割画像データに応じた書込み信号を前記液晶表示素子の複数の画素に印加し、この書き込み信号の印加に同期させて前記光源から前記第１の照明光を照射させ、前記第２の照明光の照射に同期させて、第１の領域内の各画素に対応する各画素データを通過させ、前記第２の領域に対応する各画素に白と黒の間の予め定めた諧調値を与える第２のデータ処理フィルタを掛けて処理した第２の分割画像データに応じた書込み信号を前記液晶表示素子の複数の画素に印加し、この書き込み信号の印加に同期させて前記光源から前記第２の照明光を照射させる駆動手段とを備えたことを特徴とする。
【００１３】
この液晶表示装置において、前記駆動手段は、前記面光源から前記第１の照明光と第２の照明光とを同時に照射させ、前記液晶表示素子の複数の画素に、前記第１及び第２のデータ処理フィルタを掛けない非処理の画像データに応じた書込み信号を印加する手段を備えているのが望ましい。
【発明の効果】
【００１４】
この発明の液晶表示素子の駆動方法は、液晶表示素子に、その観察側とは反対側から、前記液晶表示素子の法線方向に対して一方の方向に傾いた方向に出射光強度のピークをもった指向性を有する第１の照明光と前記法線に対して前記一方の方向とは反対方向に傾いた方向に出射光強度のピークをもった指向性を有する第２の照明光とを選択的に照射する光源を備え、前記液晶表示素子の複数の画素に供給される複数の画素データからなる画像データのうち、前記画面領域を複数に分割した複数の領域のうちの選択された第１の領域内の各画素に対応する各画素データと、前記第１の領域以外の他の第２の領域内の各画素に対応させて白と黒の間の予め定めた諧調が指定された中間調データとからなる第１の分割画像データを、前記液晶表示素子の複数の画素に印加し、この第１の分割画像データの前記各画素への印加に同期させて前記光源から前記第１の照明光を照射させ、前記画像データのうち、前記第２の領域内の各画素に対応する各画素データと、前記第１の領域内の各画素に対応させて白と黒の間の予め定めた諧調が指定された前記中間調データとからなる第２の分割画像データを、前記液晶表示素子の複数の画素に印加し、この第２の分割画像データの前記各画素への印加に同期させて前記光源から前記第２の照明光を照射させることにより、正面方向（液晶表示素子の法線付近の方向）に対して一方の方向に傾いた方向及びその反対方向に傾いた方向からは表示画像を認識できないようにするものであり、この駆動方法によれば、前記正面方向に対して傾いた方向から他者により覗き見されるおそれの無いセキュリティ性の高い狭視野角表示を行なうことができ、しかもコストを低減することができる。
【００１５】
この駆動方法においては、前記液晶表示素子の複数の画素に供給される複数の画素データからなる画像データのうち、前記液晶表示素子の画面領域を格子状に分割した複数の領域のうちの市松状に選択された第１の領域内の各画素に対応する各画素データと、前記市松状に選択された前記第１の領域以外の他の第２の領域内の各画素に対応させて白と黒の間の予め定めた諧調が指定された中間調データとからなる第１の分割画像データを、前記液晶表示素子の複数の画素に印加し、この第１の分割画像データの前記各画素への印加に同期させて前記光源から第１の照明光を照射させ、前記画像データのうち、前記第２の領域内の各画素に対応する各画素データと、市松状に選択された前記第１の領域内の各画素に対応させて白と黒の間の予め定めた諧調が指定された前記中間調データとからなる第２の分割画像データを、前記液晶表示素子の複数の画素に印加し、この第２の分割画像データの前記各画素への印加に同期させて前記光源から前記第２の照明光を照射させるのが好ましく、このようにすることにより、前記正面方向に対して一方の方向に傾いた方向及びその反対方向に傾いた方向からは、表示画像が市松模様により隠されて認識できない、よりセキュリティ性の高い狭視野角表示を行なうことができる。
【００１６】
また、この駆動方法においては、前記液晶表示素子の複数の画素に供給される画像データを、前記液晶表示素子の画面領域を互いに交差する２つの方向の一方に沿うストライプ状に分割した複数の領域のうちの１つ置きに選択された第１の部分領域内の各画素に白と黒の間の予め定めた諧調値を与え、前記第１の部分領域以外の領域からなる第２の部分領域内の各画素に対応する画素データを通過させる第１の部分フィルタと、前記液晶表示素子の画面領域を前記互いに交差する２つの方向の他方に沿うストライプ状に分割した複数の領域のうちの１つ置きに選択された第３の部分領域内の各画素に白と黒の間の予め定めた諧調値を与え、第３の部分領域以外の領域からなる第４の部分領域内の各画素に対応する画素データを通過させる第２の部分フィルタとからなる第１のデータ処理フィルタを掛けて処理した一方の第１の分割画像データを前記液晶表示素子の複数の画素に印加し、この第１の分割画像データの前記各画素への印加に同期させて前記光源から前記第１の照明光を照射させ、前記画像データを、前記第１の部分領域内の各画素に対応する画素データを通過させ、前記第２の部分領域内の各画素に白と黒の間の予め定めた諧調値を与える第３の部分フィルタと、前記第３の部分領域内の各画素に対応する画素データを通過させ、前記第４の部分領域内の各画素に白と黒の間の予め定めた諧調値を与える第４の部分フィルタとからなる第２のデータ処理フィルタを掛けて処理した第２の分割画像データを前記液晶表示素子の複数の画素に印加し、この第２の分割画像データの前記各画素への印加に同期させて前記光源から前記第２の照明光を照射させるのが好ましく、このようにすることにより、前記正面方向に対して一方の方向に傾いた方向及びその反対方向に傾いた方向からは、表示画像が諧調の異なる複数のパターンからなる市松模様により隠されて認識できない、さらにセキュリティ性の高い狭視野角表示を行なうことができる。
【００１７】
この発明の駆動型液晶表示装置は、前記液晶表示素子と、前記液晶表示素子の観察側とは反対側に配置され、前記液晶表示素子に向けて、前記液晶表示素子の法線方向に対して一方の方向に傾いた方向に出射光強度のピークをもった指向性を有する第１の照明光と前記法線に対して前記一方の方向とは反対方向に傾いた方向に出射光強度のピークをもった指向性を有する第２の照明光とを選択的に照射する面光源と、前記液晶表示素子の複数の画素に供給される画像データのうち、前記液晶表示素子の画面領域を分割した複数の領域のうちの選択された第１の領域内の各画素に白と黒の間の予め定めた諧調値を与え、前記第１の領域以外の他の第２の領域に対応する各画素の画素データを通過させる第１のデータ処理フィルタを掛けて処理した第１の分割画像データに応じた書込み信号を前記液晶表示素子の複数の画素に印加し、この書き込み信号の印加に同期させて前記光源から前記第１の照明光を照射させ、前記第２の照明光の照射に同期させて、第１の領域内の各画素に対応する各画素データを通過させ、前記第２の領域に対応する各画素に白と黒の間の予め定めた諧調値を与える第２のデータ処理フィルタを掛けて処理した第２の分割画像データに応じた書込み信号を前記液晶表示素子の複数の画素に印加し、この書き込み信号の印加に同期させて前記光源から前記第２の照明光を照射させる駆動手段とを備えたものであるため、前記液晶表示素子を、前記駆動方法により駆動することができ、したがって、他者により覗き見されるおそれの無いセキュリティ性の高い狭視野角表示を行なうことができ、しかもコストを低減することができる。
【００１８】
この駆動型液晶表示装置において、前記駆動手段は、前記面光源から前記第１の照明光と第２の照明光とを同時に照射させ、前記液晶表示素子の複数の画素に、前記第１及び第２のデータ処理フィルタを掛けない非処理の画像データに応じた書込み信号を印加する手段を備えているのが望ましく、このようにすることにより、前記狭視野角表示と広視野角表示とを選択的に行なうことができる。
【発明を実施するための最良の形態】
【００１９】
（第１の実施形態）
図１はこの発明の第１の実施例を示す液晶表示装置の平面図であり、この液晶表示装置は、光の透過を制御する複数の画素をマトリックス状に配列した画面領域を有する広視野角の液晶表示素子１と、前記液晶表示素子１の観察側（図１において下側）とは反対側に配置され、前記液晶表示素子１に向けて、前記液晶表示素子１の法線方向に対して一方の方向に傾いた方向に出射光強度のピークをもった指向性を有する第１の照明光Ｌ１と、前記法線に対して前記一方の方向とは反対方向に傾いた方向に出射光強度のピークをもった指向性を有する第２の照明光Ｌ２とを照射する面光源１３と、前記液晶表示素子１と面光源１３とを駆動するための駆動手段１６とを備えている。
【００２０】
図２は前記液晶表示素子１の一部分の拡大断面図であり、この液晶表示素子１は、画面領域を囲む枠状のシール材４（図１参照）を介して接合された一対の透明基板２，３と、前記一対の透明基板２，３の互いに対向する内面に設けられ、互いに対向する領域によりマトリックス状に配列する複数の画素を形成する透明電極５，６と、前記一対の基板２，３間の前記シール材４で囲まれた領域に封入された液晶層１０と、前記一対の基板２，３の外面にそれぞれ配置された一対の偏光板１１，１２とからなっている。
【００２１】
この液晶表示素子１は、前記一方の基板２の内面に、複数の画素電極５を行方向及び列方向にマトリックス状に配列させて設け、他方の基板３の内面に、前記複数の画素電極５の配列領域に対向する一枚膜状の対向電極６を設けたアクティブマトリックス液晶表示素子であり、図２では省略しているが、前記一方の基板２の内面には、前記複数の画素電極５にそれぞれ接続されたＴＦＴからなるアクティブ素子と、各行のＴＦＴにそれぞれ接続された複数本のゲート配線と、各列のＴＦＴにそれぞれ接続された複数本のデータ配線が設けられている。
【００２２】
また、この液晶表示素子１は、前記複数の画素にそれぞれ対応する赤、緑、青の３色のカラーフィルタ７Ｒ，７Ｇ，７Ｂを備えており、これらのカラーフィルタ７Ｒ，７Ｇ，７Ｂは、前記他方の基板３の基板面に形成され、その上に前記対向電極６が形成されている。
【００２３】
さらに、前記一対の基板２，３の内面には、前記電極５，６を覆って配向膜８，９が設けられており、前記液晶層１０の液晶分子は、前記一対の基板２，３間において、前記配向膜８，９により規定される配向状態に配向している。
【００２４】
この液晶表示素子１は、液晶分子をツイスト配向させたＴＮまたはＳＴＮ型、液晶分子を基板２，３面に対して実質的に垂直に配向させた垂直配向型、液晶分子をツイストさせることなく基板２，３面に対して実質的に平行に配向させた水平配向型、液晶分子をベンド配向させるベンド配向型のいずれかの液晶表示素子、あるいは強誘電性または反強誘電性液晶表示素子であり、前記一対の偏光板１１，１２は、それぞれの透過軸の向きを、良好なコントラスト特性が得られるように設定して配置されている。
【００２５】
なお、この液晶表示素子１は、一対の基板２，３の内面それぞれに設けられた電極５，６間に縦電界（液晶層１０の厚さ方向の電界）を生じさせて液晶分子の配向状態を変化させる縦電界制御型のものであるが、液晶表示素子は、一対の基板のいずれか一方の内面に複数の画素を形成する例えば櫛状の第１と第２の電極を設け、これらの電極間に横電界（基板面に沿う方向の電界）を生じさせて液晶分子の配向状態を変化させる横電界制御型のものでもよい。
【００２６】
さらに、前記液晶表示素子１は、ノーマリーホワイトモードの表示素子でも、ノーマリーブラックモードの表示素子でもよい。
【００２７】
また、前記面光源１３は、前記液晶表示素子１の画面領域全体に対向する面積を有する板状の透明部材からなり、前記液晶表示素子１の画面の左右の側縁にそれぞれ対応する２つの端面に光の入射端面が形成され、前記液晶表示素子１に対向する板面に光の出射面が形成され、その反対側の板面に、前記入射端面から入射した光を反射して前記出射面から出射させる反射面が形成された導光板１４と、前記導光板１４の２つの入射端面にそれぞれ対向させて複数ずつ配置され、前記入射端面に向けて白色光を出射する第１と第２の固体発光素子（例えば、赤色ＬＥＤと緑色ＬＥＤと青色ＬＥＤとを備え、これらのＬＥＤの発光色を混色した白色光を出射する発光素子）１５ａ，１５ｂとにより構成されている。
【００２８】
この面光源１３は、前記第１と第２の固体発光素子１５ａ，１５ｂからの光を前記導光板１４により導いてその出射面から前記液晶表示素子１に向けて照射するものであり、前記液晶表示素子１の観察側から見て、前記画面の右側縁に対応する側に配置された第１の固体発光素子１５ａの点灯により、前記液晶表示素子１の法線方向に対して前記観察側から見て左方向に傾いた方向に出射光強度のピークをもった指向性を有する第１の照明光（以下、左方向照明光という）Ｌ１を照射し、前記画面の左側縁に対応する側に配置された第２の固体発光素子１５ｂの点灯により、前記液晶表示素子１の法線方向に対して前記観察側から見て右方向に傾いた方向に出射光強度のピークをもった指向性を有する第２の照明光（以下、右方向照明光という）Ｌ２を照射する。
【００２９】
また、前記液晶表示素子１と面光源１３とを駆動するための駆動手段１６は、前記液晶表示素子１の複数のゲート配線に順次ゲート信号を供給し、それに同期させて複数のデータ配線に画像データに応じた書込み信号を供給して前記液晶表示素子１の複数の画素に前記書込み信号を印加する表示素子駆動部と、前記面光源１３の第１の固体発光素子１５ａと第２の固体発光素子１５ｂを選択的に点灯させる光源駆動部とを備えている。
【００３０】
この駆動手段１６は、前記液晶表示素子１の複数の画素に供給される画像データのうち、前記液晶表示素子１の画面領域を分割した複数の領域のうちの選択された第１の領域内の各画素に白と黒の間の予め定めた諧調値を与え、前記第１の領域以外の他の第２の領域に対応する各画素の画素データを通過させる第１のデータ処理フィルタを掛けて処理した第１の分割画像データに応じた書込み信号を前記液晶表示素子１の複数の画素に印加し、この書き込み信号の印加に同期させて前記面光源１３から前記第１の照明光を照射させ、前記第２の照明光の照射に同期させて、第１の領域内の各画素に対応する各画素データを通過させ、前記第２の領域に対応する各画素に白と黒の間の予め定めた諧調値を与える第２のデータ処理フィルタを掛けて処理した第２の分割画像データに応じた書込み信号を前記液晶表示素子の複数の画素に印加し、この書き込み信号の印加に同期させて前記面光源１３から前記第２の照明光を照射させる駆動回路からなっている。
【００３１】
この実施例では、前記駆動手段１６を、前記液晶表示素子１の複数の画素に供給される複数の画素データからなる画像データのうち、前記液晶表示素子１の画面領域を格子状に分割した複数の領域のうちの市松状に選択された第１の領域内の各画素に対応する各画素データと、前記市松状に選択された前記第１の領域以外の他の第２の領域内の各画素に対応させて白と黒の間の予め定めた諧調が指定された中間調データとからなる第１の分割画像データを、前記液晶表示素子１の複数の画素に印加し、この第１の分割画像データの前記各画素への印加に同期させて前記面光源１３から前記第１の照明光を照射させ、前記画像データのうち、前記第２の領域内の各画素に対応する各画素データと、市松状に選択された前記第１の領域内の各画素に対応させて白と黒の間の予め定めた諧調が指定された前記中間調データとからなる第２の分割画像データを、前記液晶表示素子の複数の画素に印加し、この第２の分割画像データの前記各画素への印加に同期させて前記面光源１３から前記第２の照明光を照射させるように構成している。
【００３２】
図３は、前記画像データと第１及び第２のデータ処理フィルタと第１及び第２の分割画像データとをパターン化した概念図であり、Ａは画像データ、Ｆ１は第１のデータ処理フィルタ、Ｆ２は第２のデータ処理フィルタ、Ａ１は第１の分割画像データ、Ａ２は第２の分割画像データを示している。
【００３３】
なお、この例は、前記液晶表示素子１に白黒画像を表示させる例であり、図３に示した画像データＡは、白の背景を表示するための背景データａと、黒の表示パターン（図ではＴの文字パターン）を表示するための表示データｂとからなっている。
【００３４】
図３のように、前記第１のデータ処理フィルタＦ１と第２のデータ処理フィルタＦ２はそれぞれ、前記液晶表示素子１の画面領域を互いに交差する２つの方向、例えば前記画面の左右方向（行方向）と前記画面の上下方向（列方向）とに複数に分割し、この分割された各領域毎に、その領域に対応する画素データの処理を行うものであり、前記第１のデータ処理フィルタＦ１は、前記複数の領域のうち、市松状に選択された複数の領域からなるフィルタ部Ｆａに対応する画素データを、白と黒の間の予め定めた諧調値、例えば白と黒の中間の灰色の諧調値に置き換え、前記市松状に選択された複数の領域以外の複数の領域からなるデータパス部Ｆｂに対応する画素データは、前記市松状に選択された複数の領域以外の複数の領域に対応する画素データをそのまま通過させる。また、第２のデータ処理フィルタＦ２は、前記フィルタ部Ｆａに対応する画素データをそのまま通過させ、データパス部Ｆｂに対応する画素データを白と黒の中間の灰色の前記諧調値に置き換える。
【００３５】
そのため、前記画像データＡに前記第１のデータ処理フィルタＦ１を掛けて処理した第１の分割画像データＡ１は、前記液晶表示素子１の画面の市松状に並ぶ複数の領域内の各画素に書込むデータの諧調値が前記予め定めた値の灰色諧調になり、他の領域の画素に書込むデータの諧調値が前記画像データＡの背景データａまたは表示データｂの諧調のままのデータであり、前記画像データＡに前記第２のデータ処理フィルタＦ２を掛けて処理した第２の分割画像データＡ２は、前記第１の分割画像データＡ１を反転させたデータである。
【００３６】
すなわち、前記第１の分割画像データＡ１は、前記画像データＡの背景データａに対応する領域に、前記背景データａの諧調値の白データＶａ部と、前記第１のデータ処理フィルタＦ１により与えられた予め定めた諧調値の灰色データＶｃ部とが市松状に並び、前記画像データＡの表示データｂに対応する領域に、前記表示データｂの諧調値の黒データＶｂ部と前記灰色データＶｃ部とが市松状に並んだデータであり、前記第２の分割画像データＡ２は、前記画像データＡの背景データａに対応する領域に、前記白データＶａ部と、前記第２のデータ処理フィルタＦ２により与えられた予め定めた諧調値の灰色データＶｃ部とが前記第１の分割画像データＡ１を反転したパターンで市松状に並び、前記画像データＡの表示データｂに対応する領域に、前記黒データＶｂ部と前記灰色データＶｃ部とが前記第１の分割画像データＡ１を反転したパターンで市松状に並んだデータである。
【００３７】
また、前記駆動手段１６は、前記面光源１３から前記左方向照明光Ｌ１と右方向照明光Ｌ２とを同時に照射させ、前記液晶表示素子１の複数の画素に、前記第１及び第２のデータ処理フィルタＦ１，Ｆ２を掛けない非処理の画像データＡに応じた書込み信号を印加する手段を備えている。
【００３８】
なお、この液晶表示装置は、携帯電話機等の電子機器の表示部に実装されるものであり、前記駆動手段１６は、例えば前記電子機器に設けられた視野角選択キー等による狭視野角と広視野角の選択に応じて、狭視野角が選択されたときに、前記面光源１３から前記左方向照明光Ｌ１と右方向照明光Ｌ２とを選択的に照射させ、それに同期させて前記液晶表示素子１の複数の画素に前記第１の分割画像データＡ１と第２の分割画像データＡ２に応じた書込み信号を印加する駆動を行ない、広視野角が選択されたときに、前記面光源１３から前記左方向照明光Ｌ１と右方向照明光Ｌ２とを同時に照射させ、前記液晶表示素子１の複数の画素に前記非処理の画像データＡに応じた書込み信号を印加する駆動を行なうように構成されている。
【００３９】
この液晶表示装置は、前記液晶表示素子１と、その観察側とは反対側に配置され、前記液晶表示素子１の法線方向に対して一方の方向、つまり前記観察側から見て左方向に傾いた方向に出射光強度のピークをもった指向性を有する左方向照明光Ｌ１と、前記法線に対して前記一方の方向とは反対方向、つまり前記観察側から見て右方向に傾いた方向に出射光強度のピークをもった指向性を有する右方向照明光Ｌ２とを選択的に前記液晶表示素子１に向けて照射する面光源１３と、前記駆動手段１６とを備え、前記駆動手段１６により、前記液晶表示素子１の複数の画素に供給される複数の画素データからなる画像データのうち、前記液晶表示素子１の画面領域を分割した複数の領域のうちの選択された第１の領域内の各画素に白と黒の間の予め定めた諧調値を与え、前記第１の領域以外の他の第２の領域に対応する各画素の画素データを通過させる第１のデータ処理フィルタＦ１を掛けて処理した第１の分割画像データに応じた書込み信号を前記液晶表示素子１の複数の画素に印加し、それに同期させて前記面光源１３から前記左方向照明光Ｌ１を照射させ、前記第１の領域内の各画素に対応する各画素データを通過させ、前記第２の領域に対応する各画素に白と黒の間の予め定めた諧調値を与える第２のデータ処理フィルタを掛けて処理した第２の分割画像データに応じた書込み信号を前記液晶表示素子１の複数の画素に印加し、それに同期させて前記面光源１３から前記右方向照明光Ｌ２を照射させる方法で前記液晶表示素子１の視野角を制御することにより、前記液晶表示素子１の視野角を狭くした狭視野角表示を行なう。
【００４０】
この狭視野角表示のときは、正面方向（液晶表示素子１の法線付近の方向）からは、前記左方向照明光Ｌ１の照射に同期させて前記液晶表示素子１の複数の画素に前記第１の分割画像データＡ１に応じた書込み信号を印加したときの前記第１の分割画像データＡ１に対応する表示画像と、前記右方向照明光Ｌ２の照射に同期させて前記液晶表示素子１の複数の画素に前記第２の分割画像データＡ２に応じた書込み信号を印加したときの前記第２の分割画像データＡ２に対応する表示画像とが重なって見えるのに対し、前記正面方向に対して左方向に傾いた方向からは、前記左方向照明光Ｌ１の照射時に表示された前記第１の分割画像データＡ１に対応する表示画像しか見えず、また前記正面方向に対して右方向に傾いた方向からは、前記右方向照明光Ｌ２の照射時に表示された前記第２の分割画像データＡ２に対応する表示画像しか見えない。
【００４１】
図４は、前記狭視野角表示のときの正面方向と前記正面方向に対して左方向及び右方向に傾いた方向からの観察画像を示しており、Ｂは正面方向からの観察画像、Ｂ１は左方向からの観察画像、Ｂ２は右方向からの観察画像である。
【００４２】
図４のように、前記狭視野角表示のときの左方向からの観察画像Ｂ１は、前記第１の分割画像データＡ１に対応する画像、右方向からの観察画像Ｂ２は、前記第２の分割画像データＡ２に対応する画像であり、これらの観察画像Ｂ１，Ｂ２は、前記分割画像データＡ１，Ａ２の白データＶａと灰色データＶｃの諧調値にそれぞれ対応する諧調の白表示ｆと灰色表示ｇとが市松状に並び、その中に、前記分割画像データＡ１，Ａ２の黒データＶｂの諧調値に対応する諧調の黒表示ｈが部分的に見える、表示内容を認識することができない画像である。
【００４３】
それに対し、正面方向からの観察画像Ｂは、前記第１の分割画像データＡ１に対応する前記左方向からの観察画像Ｂ１と、前記第２の分割画像データＡ２に対応する前記右方向からの観察画像Ｂ１とが重なって見える画像、つまり前記画像データＡに対応した画像であり、その背景部ｄは、前記左方向と右方向からの観察画像Ｂ１，Ｂ２の一方の白表示ｆと他方の灰色表示ｇとが重なって見える薄灰色の表示、表示パターン部ｅは、前記左方向と右方向からの観察画像Ｂ１，Ｂ２の一方の黒表示ｈと他方の灰色表示ｇとが重なって見える濃灰色の表示である。
【００４４】
このように、前記駆動方法は、前記液晶表示素子１の複数の画素に供給される複数の画素データからなる画像データのうち、前記画面領域を複数に分割した複数の領域のうちの選択された第１の領域内の各画素に対応する各画素データと、前記第１の領域以外の他の第２の領域内の各画素に対応させて白と黒の間の予め定めた諧調が指定された中間調データとからなる第１の分割画像データを、前記液晶表示素子１の複数の画素に印加し、これに同期させて前記面光源１３からの前記左方向照明光Ｌ１の照射し、前記画像データのうち、前記第２の領域内の各画素に対応する各画素データと、前記第１の領域内の各画素に対応させて白と黒の間の予め定めた諧調が指定された前記中間調データとからなる第２の分割画像データを、前記液晶表示素子の複数の画素に印加し、これに同期させて前記右方向照明光Ｌ２を照射することにより、正面方向（液晶表示素子１の法線付近の方向）に対して左方向に傾いた方向及び右方向に傾いた方向からは表示画像を認識できないようにするものであり、この駆動方法によれば、正面方向に対して傾いた方向から他者により覗き見されるおそれの無いセキュリティ性の高い狭視野角表示を行なうことができる。
【００４５】
しかも、この駆動方法は、前記面光源１３からの前記左方向照明光Ｌ１と右方向照明光Ｌ２の選択的照射と、それに同期した前記液晶表示素子１の複数の画素への前記第１の分割画像データＡ１と第２の分割画像データＡ２に応じた書込み信号の印加とにより狭視野角表示を行なうものであるため、従来の視野角制限方法、つまり、液晶表示素子の画面に対応する領域を複数に区分した各区分領域毎に液晶分子を異なる配向状態に配向させた製造の難しい視野角制限素子により視野角を制限する方法に比べて、コストを大幅に低減することができる。
【００４６】
さらに、前記駆動方法は、前記液晶表示素子１の複数の画素に供給される複数の画素データからなる画像データのうち、前記液晶表示素子１の画面領域を格子状に分割した複数の領域のうちの市松状に選択された第１の領域内の各画素に対応する各画素データと、前記市松状に選択された前記第１の領域以外の他の第２の領域内の各画素に対応させて白と黒の間の予め定めた諧調が指定された中間調データとからなる第１の分割画像データを、前記液晶表示素子１の複数の画素に印加し、この第１の分割画像データの前記各画素への印加に同期させて前記面光源１３から前記左方向照明光Ｌ１を照射させ、前記画像データのうち、前記第２の領域内の各画素に対応する各画素データと、市松状に選択された前記第１の領域内の各画素に対応させて白と黒の間の予め定めた諧調が指定された前記中間調データとからなる第２の分割画像データを、前記液晶表示素子１の複数の画素に印加し、この第２の分割画像データの前記各画素への印加に同期させて前記面光源１３から前記と右方向照明光Ｌ２を照射させるものであるため、前記正面方向に対して左方向に傾いた方向及び右方向に傾いた方向からは、表示画像が市松模様により隠されて認識できない、よりセキュリティ性の高い狭視野角表示を行なうことができる。
【００４７】
また、前記液晶表示装置は、前記液晶表示素子１と、前記液晶表示素子１の観察側とは反対側に配置され、前記液晶表示素子１に向けて、前記液晶表示素子１の法線方向に対して左方向に傾いた方向に出射光強度のピークをもった指向性を有する左方向照明光Ｌ１と前記法線に対して右方向に傾いた方向に出射光強度のピークをもった指向性を有する右方向照明光Ｌ２とを照射する面光源１３と、前記液晶表示素子１の複数の画素に供給される画像データのうち、前記液晶表示素子１の画面領域を分割した複数の領域のうちの選択された第１の領域内の各画素に白と黒の間の予め定めた諧調値を与え、前記第１の領域以外の他の第２の領域に対応する各画素の画素データを通過させる第１のデータ処理フィルタを掛けて処理した第１の分割画像データに応じた書込み信号を前記液晶表示素子１の複数の画素に印加し、この書き込み信号の印加に同期させて前記面光源１３から前記左方向照明光Ｌ１を照射させ、前記第２の照明光の照射に同期させて、第１の領域内の各画素に対応する各画素データを通過させ、前記第２の領域に対応する各画素に白と黒の間の予め定めた諧調値を与える第２のデータ処理フィルタを掛けて処理した第２の分割画像データに応じた書込み信号を前記液晶表示素子１の複数の画素に印加し、この書き込み信号の印加に同期させて前記面光源から前記右方向照明光Ｌ２を照射させる駆動手段１６とを備えたものであるため、前記液晶表示素子１を、前記駆動方法により駆動することができ、したがって、他者により覗き見されるおそれの無いセキュリティ性の高い狭視野角表示を行なうことができ、しかもコストを低減することができる。
【００４８】
また、この液晶表示装置は、前記駆動手段１６に、前記面光源１３から前記左方向照明光Ｌ１と右方向照明光Ｌ２とを同時に照射させ、前記液晶表示素子１の複数の画素に、前記第１及び第２のデータ処理フィルタＦ１，Ｆ２を掛けない非処理の画像データＡに応じた書込み信号を印加する手段を備えさせているため、前記狭視野角表示と広視野角表示とを選択的に行なうことができる。
【００４９】
すなわち、この液晶表示装置は、前記面光源１３から前記左方向照明光Ｌ１と右方向照明光Ｌ２とを同時に照射させ、前記液晶表示素子１の複数の画素に、前記非処理の画像データＡに応じた書込み信号を印加することにより、正面方向からも、前記正面方向に対して左方向及び右方向に傾いた方向からも表示内容を認識することができる広視野角表示を行なうことができる。
【００５０】
なお、この広視野角表示のときの正面方向及び左右に傾いた方向からの観察画像は、前記左方向照明光Ｌ１の照射時に表示された前記非処理の画像データＡに対応する画像と、前記右方向照明光Ｌ２の照射時に表示された前記非処理の画像データＡに対応する画像とが重なって見える画像、つまり前記画像データＡに対応した画像であり、その背景部の諧調は、前記画像データＡの背景データａの諧調値に対応する諧調、表示パターン部の諧調は、前記画像データＡの表示データｂの諧調値に対応する諧調である。
【００５１】
（第２の実施形態）
図５及び図６はこの発明の駆動方法の第２の実施例を示しており、図５は、画像データと第１及び第２のデータ処理フィルタと第１及び第２の分割画像データとをパターン化した概念図、図６は、狭視野角表示のときの正面方向と前記正面方向に対して左方向及び右方向に傾いた方向からの観察画像を示す図である。なお、この実施例において、上述した第１の実施例に対応するものには図に同符号を付し、同一のものについてはその説明を省略する。
【００５２】
図５のように、この実施例の駆動方法は、前記液晶表示素子１の複数の画素に供給される画像データを、前記液晶表示素子１の画面領域を互いに交差する２つの方向の一方、例えば画面の左右方向（行方向）に沿うストライプ状に分割した複数の領域のうちの１つ置きに選択された第１の部分領域内の各画素に白と黒の間の予め定めた諧調値を与え、前記第１の部分領域以外の領域からなる第２の部分領域内の各画素に対応する画素データを通過させる第１の部分フィルタ（以下、第１の行方向データ処理フィルタという）Ｆ１１と、前記２つの方向の他方、例えば前記画面の上下方向（列方向）に沿うストライプ状に分割した複数の領域のうちの１つ置きに選択された第３の部分領域内の各画素に白と黒の間の予め定めた諧調値を与え、第３の部分領域以外の領域からなる第４の部分領域内の各画素に対応する画素データを通過させる第２の部分フィルタ（以下、第１の列方向データ処理フィルタという）Ｆ１２とからなる第１のデータ処理フィルタを掛けて処理した一方の第１の分割画像データを前記液晶表示素子１の複数の画素に印加し、この第１の分割画像データの前記各画素への印加に同期させて前記面光源１３から前記左方向照明光Ｌ１を照射させ、前記画像データを、前記第１の部分領域内の各画素に対応する画素データを通過させ、前記第２の部分領域内の各画素に白と黒の間の予め定めた諧調値を与える第３の部分フィルタ（以下、第２の行方向データ処理フィルタという）Ｆ２１と、前記第３の部分領域内の各画素に対応する画素データを通過させ、前記第４の部分領域内の各画素に白と黒の間の予め定めた諧調値を与える第４の部分フィルタ（以下、第２の列方向データ処理フィルタという）Ｆ２２とからなる第２のデータ処理フィルタを掛けて処理した第２の分割画像データを前記液晶表示素子１の複数の画素に印加し、この第２の分割画像データの前記各画素への印加に同期させて前記面光源１３から前記右方向照明光Ｌ２を照射させるようにしたものである。
【００５３】
すなわち、この実施例の駆動方法は、前記第１の行方向データ処理フィルタＦ１１と前記第１の列方向データ処理フィルタＦ１２とからなる第１のデータ処理フィルタと、前記第２の行方向データ処理フィルタＦ２１と前記第２の列方向データ処理フィルタＦ２２とからなる第２のデータ処理フィルタとを備え、前記画像データＡを前記第１の行方向データ処理フィルタＦ１１を掛けて処理した第１の一方の分割画像データＡ１１と、前記画像データＡを前記第１の列方向データ処理フィルタＦ１２を掛けて処理した第１の他方の処理画像データＡ１２との合成データＡ１３に応じた書込み信号を前記液晶表示素子１の複数の画素に印加し、それに同期させて前記面光源１３から前記左方向照明光Ｌ１を照射させ、前記画像データＡを前記第２の行方向データ処理フィルタＦ２１を掛けて処理した第２の一方の分割画像データＡ２１と、前記画像データＡを前記第２の列方向データ処理フィルタＦ２２を掛けて処理した第２の他方の分割画像データＡ２２との合成データＡ２３に応じた書込み信号を前記液晶表示素子１の複数の画素に印加し、それに同期させて前記面光源１３から前記右方向照明光Ｌ２を照射させることにより、前記液晶表示素子１の視野角を狭くした狭視野角表示を行なうものである。
【００５４】
この実施例において、前記第１の行方向データ処理フィルタＦ１１及び列方向データ処理フィルタＦ１２と、前記第２の行方向データ処理フィルタＦ２１及び列方向データ処理フィルタＦ２２はそれぞれ、前記画像データＡに白と黒の間の予め定めた諧調値、例えば白と黒の中間の灰色の諧調値を与える複数のフィルタ部Ｆａと、前記画像データＡをそのまま通すデータパス部Ｆｂを有している。
【００５５】
そして、前記第１の行方向データ処理フィルタＦ１１の各フィルタ部Ｆａは、前記画像データＡのうち、前記液晶表示素子１の画面の行方向に沿うストライプ状の複数の領域内の各画素に書込むデータに対応し、前記第２の行方向データ処理フィルタＦ２１の複数のフィルタ部Ｆａは、前記画像データＡのうち、前記液晶表示素子１の前記行方向に沿う他の領域の画素に書込むデータに対応している。
【００５６】
また、前記第１の列方向データ処理フィルタＦ１２の各フィルタ部Ｆａは、前記画像データＡのうち、前記液晶表示素子１の画面の列方向に沿うストライプ状の複数の領域内の各画素に書込むデータに対応し、前記第２の列方向データ処理フィルタＦ２２の複数のフィルタ部Ｆａは、前記画像データＡのうち、前記液晶表示素子１の前記列方向に沿う他の領域の画素に書込むデータに対応している。
【００５７】
そのため、前記画像データＡに前記第１の行方向データ処理フィルタＦ１１を掛けて処理した第１の一方の分割画像データＡ１１は、前記液晶表示素子１の画面の行方向に沿うストライプ状の複数の領域内の各画素に書込むデータの諧調値が前記予め定めた値の灰色諧調になり、他の画素に書込むデータの諧調値が前記画像データＡの背景データａまたは表示データｂの諧調のままのデータであり、前記画像データＡに前記第２の行方向データ処理フィルタＦ２１を掛けて処理した第２の一方の分割画像データＡ２１は、前記第１の一方の分割画像データＡ１１を反転させたデータである。
【００５８】
また、前記画像データＡに前記第１の列方向データ処理フィルタＦ１２を掛けて処理した第１の他方の分割画像データＡ１２は、前記液晶表示素子１の画面の列方向に沿うストライプ状の複数の領域内の各画素に書込むデータの諧調値が前記予め定めた値の灰色諧調になり、他の画素に書込むデータの諧調が前記画像データＡの背景データａまたは表示データｂの諧調値のままのデータであり、前記画像データＡに前記第２の列方向データ処理フィルタＦ２２を掛けて処理した第２の他方の分割画像データＡ２２は、前記第１の他方の分割画像データＡ１ｂを反転させたデータである。
【００５９】
すなわち、前記第１の一方の分割画像データＡ１１は、前記画像データＡの背景データａに対応する領域に、前記背景データａの諧調値の白データＶａ部と、前記第１の行方向データ処理フィルタＦ１１により与えられた予め定めた諧調値の灰色データＶｃ部とが行方向に沿うストライプ状に並び、前記画像データＡの表示データｂに対応する領域に、前記表示データｂの諧調値の黒データＶｂ部と前記灰色データＶｃ部とが行方向に沿うストライプ状毎に交互に並んだデータであり、前記第１の他方の分割画像データＡ１２は、前記画像データＡの背景データａに対応する領域に、前記背景データａの諧調値の白データＶａ部と、前記第１の列方向データ処理フィルタＦ１２により与えられた予め定めた諧調値の灰色データＶｃ部とが列方向に沿うストライプ状に並び、前記画像データＡの表示データｂに対応する領域に、前記表示データｂの諧調値の黒データＶｂ部と前記灰色データＶｃ部とが列方向に沿うストライプ状毎に交互に並んだデータである。
【００６０】
したがって、前記第１の一方と他方の２つの分割画像データＡ１１，Ａ１２を合成した第１の合成データＡ１３は、前記画像データＡの背景データａに対応する領域に、前記背景データａの諧調値の白データＶａ部と、前記灰色データＶｃ部と、前記２つの分割画像データＡ１１，Ａ１２の一方の白データＶａと他方の灰色データＶｃとを合成した諧調の薄灰色データＶｄ部とが市松状に並び、前記画像データＡの表示データｂに対応する領域に、前記表示データｂの諧調値の黒データＶｂ部と、前記灰色データＶｃ部と、前記２つの分割画像データＡ１１，Ａ１２の一方の黒データＶｂと他方の灰色データＶｃとを合成した諧調の濃灰色データＶｅ部とが市松状に並んだデータである。
【００６１】
また、前記第２の一方の分割画像データＡ２１は、前記画像データＡの背景データａに対応する領域に、前記白データＶａ部と前記灰色データＶｃ部とが前記第１の一方の分割画像データＡ１１を反転したパターンで行方向に沿うストライプ状に並び、前記画像データＡの表示データｂに対応する領域に、前記黒データＶｂ部と前記灰色データＶｃ部とが前記第１の一方の分割画像データＡ１１を反転したパターンで行方向に沿うストライプ状毎に交互に並んだデータであり、前記第２の他方の分割画像データＡ２２は、前記画像データＡの背景データａに対応する領域に、前記白データＶａ部と前記灰色データＶｃ部とが前記第１の他方の分割画像データＡ１２を反転したパターンで列方向に沿うストライプ状に並び、前記画像データＡの表示データｂに対応する領域に、前記黒データＶｂ部と前記灰色データＶｃ部とが前記第１の他方の分割画像データＡ１２を反転したパターンで列方向に沿うストライプ状毎に交互に並んだデータである。
【００６２】
したがって、前記第２の一方と他方の２つの分割画像データＡ２１，Ａ２２を合成した第２の合成データＡ２３は、前記画像データＡの背景データａに対応する領域に、前記白データＶａ部と、前記灰色データＶｃ部と、前記２つの分割画像データＡ２１，Ａ２２の一方の白データＶａと他方の灰色データＶｃとを合成した諧調の薄灰色データＶｄ部とが、その白データＶａ部が前記第１の合成データＡ１３の灰色データＶｃ部に対応し、灰色データＶｃ部が前記第１の合成データＡ１３の白データＶａ部に対応し、薄灰色データＶｄ部が前記第１の合成データＡ１３の薄灰色データＶｄ部に対応するパターンで市松状に並び、前記画像データＡの表示データｂに対応する領域に、前記黒データＶｂ部と、前記灰色データＶｃ部と、前記２つの分割画像データＡ２１，Ａ２２の一方の黒データＶｂと他方の灰色データＶｃとを合成した諧調の濃灰色データＶｅ部とが、その黒データＶｂ部が前記第１の合成データＡ１３の灰色データＶｃ部に対応し、灰色データＶｃ部が前記第１の合成データＡ１３の黒データＶｂ部に対応し、濃灰色データＶｅ部が前記第１の合成データＡ１３の濃灰色データＶｅ部に対応するパターンで市松状に並んだデータである。
【００６３】
この実施例の駆動方法は、前記面光源１３からの左方向照明光Ｌ１の照射に同期させて、前記液晶表示素子１の複数の画素に前記第１の合成データＡ１３に応じた書込み信号を印加し、前記面光源１３からの右方向照明光Ｌ２の照射に同期させて、前記液晶表示素子１の複数の画素に前記第２の合成データＡ２３に応じた書込み信号を印加することにより、前記液晶表示素子１の視野角を狭くした狭視野角表示を行なうものであり、この実施例による狭視野角表示のときの正面方向からの観察画像Ｂと、前記正面方向に対して左方向及び右方向に傾いた方向からの観察画像Ｂ１，Ｂ２はそれぞれ、図６に示したような画像である。
【００６４】
図６のように、前記狭視野角表示のときの左方向からの観察画像Ｂ１は、前記第１の合成データＡ１３に対応する画像、右方向からの観察画像Ｂ２は、前記第２の合成データＡ２３に対応する画像であり、これらの観察画像Ｂ１，Ｂ２は、前記合成データＡ１３，Ａ２３の白データＶａと灰色データＶｃと薄灰色データＶｄの諧調値にそれぞれ対応する諧調の白表示ｋと灰色表示ｍと薄灰色表示ｎ及び濃灰色表示ｐとが市松状に並び、その中に、前記合成データＡ１３，Ａ２３の黒データＶｂの諧調値に対応する諧調の黒表示ｒが部分的に見える、表示内容を認識することができない画像である。
【００６５】
それに対し、正面方向からの観察画像Ｂは、前記第１の合成データＡ１３に対応する前記左方向からの観察画像Ｂ１と、前記第２の合成データＡ２３に対応する前記右方向からの観察画像Ｂ１とが重なって見える画像、つまり前記画像データＡに対応した画像であり、その背景部ｉは、前記左方向と右方向からの観察画像Ｂ１，Ｂ２の一方の白表示ｋと他方の灰色表示ｍとが重なって見える薄灰色部と、前記左方向と右方向からの観察画像Ｂ１，Ｂ２の両方の薄灰色表示ｐが重なって見える薄灰色部とからなる薄灰色の表示、表示パターン部ｊは、前記左方向と右方向からの観察画像Ｂ１，Ｂ２の一方の黒表示ｒと他方の灰色表示ｍとが重なって見える濃灰色表示部と、前記左方向と右方向からの観察画像Ｂ１，Ｂ２の両方の濃灰色表示ｐとが重なって見える濃灰色部とからなる濃灰色の表示である。
【００６６】
なお、前記左方向と右方向からの観察画像Ｂ１，Ｂ２の一方の白表示ｋと他方の灰色表示ｍとが重なって見える薄灰色部と、前記左方向と右方向からの観察画像Ｂ１，Ｂ２の両方の薄灰色表示ｐが重なって見える薄灰色部とは実質的に同じ諧調、また、前記左方向と右方向からの観察画像Ｂ１，Ｂ２の一方の黒表示ｒと他方の灰色表示ｍとが重なって見える濃灰色表示部と、前記左方向と右方向からの観察画像Ｂ１，Ｂ２の両方の濃灰色表示ｐとが重なって見える濃灰色部とは実質的に同じ諧調であり、したがって、前記正面方向からの観察画像Ｂの背景部ｉは、市松状の諧調むらの無い薄灰色の表示、表示パターン部ｅは、市松状の諧調むらの無い濃灰色の表示である。
【００６７】
したがって、この実施例の駆動方法によれば、前記正面方向に対して一方の方向（左方向）に傾いた方向及びその反対方向（右方向）に傾いた方向からは、表示画像が諧調の異なる複数のパターンからなる市松模様により隠されて認識できない、さらにセキュリティ性の高い狭視野角表示を行なうことができる。
【００６８】
（他の実施形態）
なお、上述した第１の実施例における第１と第２のデータ処理フィルタＦ１，Ｆ２は、画像データＡに白と黒の間の予め定めた諧調値を与えるフィルタ部Ｆａを行方向と列方向に市松状に並べたものに限らず、前記フィルタ部Ｆａを前記行方向及び列方向に対して斜めに傾いた２つの方向に市松状に並べた互いに反転したパターンのフィルタでもよく、さらに、前記フィルタ部Ｆａをランダムに並べた互いに反転したパターンのフィルタでもよい。
【００６９】
また、上述した第２の実施例における第１の一方のデータ処理フィルタＦ１１と第２の一方のデータ処理フィルタＦ２１及び第１の他方のデータ処理フィルタＦ１２と第２の他方のデータ処理フィルタＦ２２は、前記フィルタ部Ｆａを行方向に沿うストライプ状及び列方向に沿うストライプ状に並べたものに限らず、例えば前記第１の一方のデータ処理フィルタＦ１１と第２の一方のデータ処理フィルタＦ２１とを、前記行方向及び列方向に対して斜めに傾いた２つの方向の一方に沿うストライプ状のフィルタ部Ｆａを有する互いに反転したパターンのフィルタとし、前記第１の他方のデータ処理フィルタＦ１２と第２の他方のデータ処理フィルタＦ２２とを、前記２つの方向の他方に沿うストライプ状のフィルタ部Ｆａを有する互いに反転したパターンのフィルタとしてもよい。
【図面の簡単な説明】
【００７０】
【図１】この発明の第１の実施例を示す液晶表示装置の平面図。
【図２】前記液晶表示装置の液晶表示素子の一部分の拡大断面図。
【図３】第１の実施例の駆動方法における画像データと第１及び第２のデータ処理フィルタと第１及び第２の分割画像データとをパターン化した概念図。
【図４】第１の実施例における狭視野角表示のときの正面方向と前記正面方向に対して左方向及び右方向に傾いた方向からの観察画像を示す図。
【図５】この発明の駆動方法の第２の実施例を示す画像データと第１及び第２のデータ処理フィルタと第１及び第２の分割画像データとをパターン化した概念図。
【図６】第２の実施例における狭視野角表示のときの正面方向と前記正面方向に対して左方向及び右方向に傾いた方向からの観察画像を示す図。
【符号の説明】
【００７１】
１…液晶表示素子、１３…面光源、Ｌ１…第１の照明光（左方向照明光）、Ｌ２…第２の照明光（右方向照明光）、１６…駆動手段、Ａ…画像データ、Ｆ１，Ｆ２，Ｆ１１，Ｆ１２，Ｆ２１，Ｆ２２…データ処理フィルタ、Ａ１，Ａ２，Ａ１１，Ａ１２，Ａ２１，Ａ２２…分割画像データ、Ａ１３，Ａ２３…合成データ、Ｂ…正面方向からの観察画像、Ｂ１…左方向からの観察画像、Ｂ２…右方向からの観察画像。
【図１】
0004720408.tif 000002
【図２】
0004720408.tif 000003
【図３】
0004720408.tif 000004
【図４】
0004720408.tif 000005
【図５】
0004720408.tif 000006
【図６】
0004720408.tif 000007